(57)【要約】      （修正有）【課題】伸縮性のある布地で作られた衣料品等に適した長手方向の伸縮性に富んだ布地用ファスナーを提供する。【解決手段】伸縮性のある布テープ１ａ、１ｂの一端に鉤状片（フック片２ａ、２ｂ）を並べて取付けるとともにフック片を貫通して糸（フッキング糸３ａ、３ｂ）を取付け、対向する一対のフック列テープ７ａ、７ｂ上のフック片とフッキング糸とをひっかけ合うことによりフック列テープ間が繋がりあう構造とし、実施例１ではフック片を弾力性のある素材にて高さ幅の大きな矩形状又は長円形断面としフック片をフッキング糸が圧縮する事によりフック列テープの長手方向への伸縮性をもたせた。また実施例２ではフッキング糸を伸縮性のある素材で構成しフック片の材質に関係なくフック列テープに伸縮性をもたせた。さらにフック片とフッキング糸とを容易に繋合及び解離せしめうる構造のスライダー８を設けた。【選択図】図１
0003219363.tif 000002
【実用新案登録請求の範囲】
【請求項１】
伸縮性布テープ１の一端に断面形状が矩形状又は長円状で弾力性のある素材で構成した鉤状片２（以下フック片と呼称する。）を定間隔に並べて取付け、該フック片２の中央背部を貫通して耐久性のある糸３（以下フッキング糸と呼称する。）を取付けて該フック片２の列を横断させ、さらに該フック片の先頭部下端に該フッキング糸３をひっかけるためのレ字状の切込み部４を設けてなるフック付伸縮性布テープ７（以下フック列テープと呼称する。）を用い、一対の該フック列テープ７ａと７ｂに取り付けたフック片２ａと２ｂとを対向させて近づけ、該フック片にある該切込み部４ａ及び４ｂを相手側の該フッキング糸３ａ及び３ｂに交互に順次引っ掛けることにより該フック列テープ７ａと７ｂが繋がり合うことを特徴とする伸縮性布ファスナー。
【請求項２】
請求項１に示す伸縮性布ファスナーにおいて該フッキング糸３を伸縮性のある素材で構成し、該フック片２は弾力性を有する素材又は弾力性を有しない素材で構成したことを特徴とする伸縮性布ファスナー。
【請求項３】
請求項１及び請求項２に示す伸縮性布ファスナーにおいて対向する該フック列テープ７ａと７ｂに取付けられたフック片２ａの列と２ｂの列とをフッキング糸３ａ及び３ｂを介して連続的に引っ掛ける操作を行うためのスライダー８を設け、該スライダー８のフック列テープ上の動きにつれて該スライダー８の内部において該フック片２ａと２ｂとが接近しつつ先端が持ち上がるとともに前後方向にも動き該切込み部４ａと４ｂを交互に相手側の糸３ａと３ｂに引っ掛けてゆく動作をせしめることを特徴とする伸縮性布ファスナー。
【請求項４】
請求項３に示す伸縮性布ファスナーにおいて、フック片の後部上端に伸縮性のある素材で構成された帯９（以下架橋帯と呼称する。）を取付けて該フック列テープ上に隣接して並ぶフック片相互間をつなぎ、一対のフック列テープが繋合した状態のとき該フック片２の先端部が対向するフック列テープの伸縮性布テープ１とフック片上に取り付けられた該架橋帯９との間にさし込まれるようにしたことを特徴とする伸縮性布ファスナー。
【考案の詳細な説明】
【技術分野】
【０００１】  本考案は、伸縮性を有した布地用ファスナーに関するものである。
【背景技術】
【０００２】  これまで一般的に用いられている布地用ファスナーはファスナーのエレメント間が直接かみ合う構造になっているためファスナーの長手方向に引き延ばすとかみ合ったエレメント間が外れてしまうため、長手方向への伸縮性を持たせるのに限度があった。
【先行技術文献】
【特許文献】
【０００３】
【特許文献１】特開２０１０−１０４６８５
【非特許文献】
【０００４】
【非特許文献１】ＹＫＫ株式会社  商品総合カタログ  ２１ページ  ＳＯＦＬＥＸ（商標登録）（ＹＫＫ株式会社ホームページに記載あり。）
【考案の概要】
【考案が解決しようとする課題】
【０００５】  本考案はこれまでとは異なる構造の糸フック式ファスナーにて長手方向への伸縮性に富んだ布地用ファスナーを提供するものである。
【課題を解決するための手段】
【０００６】  伸縮性のある布テープの一端に鉤状片（フック片）を並べて取り付けるとともに該フック片の中央背部を貫通して糸（貫通糸）を通した布テープ（フック列テープ）を用い、一対の対向する該フック列テープ上の該フック片と該貫通糸（フッキング糸）とをひっかけ合うことにより該フック列テープ間が繋がり合う糸フック掛け式ファスナーにて、該フック片を弾力性のある素材で構成した。さらに該フック片の断面形状を矩形あるいは長円形状とし該貫通糸を取付けた中央背部の高さ幅寸法を大きくした。これにより該フック片を該フッキング糸に引っかけた状態でフック列テープがファスナー長手方向に引っ張られると２本のフッキング糸が該弾力性フック片を圧縮することによりフック列テープが長手方向に伸びることができ当該ファスナーに伸縮性を持たせることができる。また前述の本考案による糸フック掛け式ファスナー構造にて該フッキング糸を伸縮性のある素材で構成することにより該フック片を硬質の素材で構成しても当該ファスナーに伸縮性を持たせることができ伸縮性布ファスナーを実現することができる。
【考案の効果】
【０００７】  本考案を適用すると伸縮性を有する生地で作られたスポーツウエアやウエットスーツ、下着、バッグ類などの幅広い分野に伸縮性に富んだファスナーを提供する事が可能となる。
【図面の簡単な説明】
【０００８】
【図１】本考案のフック列テープを用いた伸縮性布ファスナーとスライダー（取手部は省略）の一例を示す図
【図２】フック片の詳細説明図
【図３】図２に示すフック片を取付けたフック列テープの一例を示す図
【図４】フック列テープを繋合せしめるスライダーの説明用図（断面線を表示）
【図５】図４に示すスライダーの各部の断面図
【図６】図４に示すスライダー内の各部におけるフック片の動きを示す説明図
【図７】架橋帯でつないだフック片を取付けたフック列テープの一例を示す図
【図８】図７に示すフック列テープを繋合せしめるスライダー（取手部は省略）の一例を示す図
【考案を実施するための形態】
【０００９】  糸フック掛け式ファスナー構造としフック列テープ上の該フック片を連続して該フッキング糸に引っ掛けることができるようスライダーを設け、スライダー内において対向するフック列テープ上のフック片を引き寄せるとともにフック片の先端を持ち上げるとともに前後に動かしてフック片とフッキング糸とを引っ掛ける動作をせしめる構造とした。
【実施例１】
【００１０】  以下、添付図面に従って一実施例を説明する。なお以下の実施例に示す図面はいずれも構造の説明用で必ずしも比例尺では示してはいない。図１において１ａ、１ｂは伸縮性布テープ、２ａ、２ｂはフック片、３ａ、３ｂは伸縮性のある貫通糸（フッキング糸）、７ａ、７ｂはフック片が取り付けられた伸縮性布テープ（フック列テープ）でスライダー８により繋合、解離を行なう。【００１１】  図２は本考案によるフック片の詳細を説明する図で、フッキング糸７はフッキング糸貫通部５でフック片２に固着されておりフック列テープ繋合時のフック片間のフッキング糸の偏りを防いでいる。またフック片の後部上端を角形に高くした形状としスライダー内のガイド溝に従ってフック片の先端を持ち上げること及びフック片を前後方向に動かすことを可能としている。【００１２】  図３はフック片を取付けた一対のフック列テープの一例を示すが、伸縮性布テープに等間隔にフック片を並べて取付けている。【００１３】  図４と図５はそれぞれ図３に示すフック列テープを繋合せしめるスライダーの一例を示す図とその各部の断面を示す。図６はスライダー内において対向するフック片が動いてフック片の切込み部４にフッキング糸３をひっかけてゆく過程を各断面に対応した見取図で示す。フック列テープを繋合せしめるとき、スライダー８の動きにより対向するフック列テープが引き寄せられるとともにスライダー８内においてフック片７ａ、７ｂの先端が持ち上がりつつさらに接近しフック片を貫通して取り付けられたフッキング糸３ａ、３ｂがフック片の切込み部４に引っかかるところまでゆき、そこからフッキング糸をひっかけたままフック片の先端が下がり繋合がなされる。フック列テープを解離させるときはスライダー８の動く方向を逆にしてフック片の動作を上記と逆にせしめフック片とフッキング糸との繋合を外す。【００１４】  図７はフック片の後部上端に伸縮性のある素材でできた帯９（以下架橋帯と呼称する。）を取付けフック列テープ上に隣接して並ぶフック片相互間をつないだフック列テープの一例を示す。一対のフック列テープが繋合を終えた時フック片２の先端が対向するフック列テープ上の伸縮性布テープ１とフック片上に取り付けられた該架橋帯９との間に差し込まれているので、一対のフック列テープが繋合した状態でフック列テープの左右側面から押付け力が加わってもフック片の先端が持ち上がることが防がれ繋合が外れる不具合を防いでいる。【００１５】  図８は図７に示すフック列テープを繋合せしめるスライダーの一例を示すが、フック片がフッキング糸と繋合した時フック片２の先端が伸縮性布テープ１と架橋帯９との間に差し込まれている状態を断面図にて示している。【００１６】  該フック片を弾力性のある素材で構成するとともに断面を矩形あるいは長円形状とし、該フッキング糸を貫通させた中央背部の高さ幅寸法を該フック列テープ上のフック片取付けピッチ寸法の約２０％から約８０％の寸法とする。これにより該フック片を該フッキング糸に引っかけた状態でフック列テープをファスナー長手方向に引っ張ると２本のフッキング糸が弾力性フック片を圧縮しフック列テープが長手方向に伸びることができ伸縮性布ファスナーを実現するこ���ができる。【００１７】  該フッキング糸を細かい波打ち状縮れあるいは螺旋状の縮れをもたせた合成繊維等にて構成すればフック片を引っ掛けるときのたるみが少なくなりスムーズに繋合をおこなわしめることができる。【００１８】  弾力性のある素材で構成されたフック片と伸縮性を有した架橋帯とを合成ゴムなどの弾力性と伸縮性を兼ね備えた同じ素材で構成すれば両者を一体化し簡素な構造にて製造しやすい伸縮性布ファスナーを実現することが可能である。
【実施例２】
【００１９】  実施例１と項目番号００１０から００１５までは同じであるが、図１から図８に示す糸フック式ファスナーにて該フッキング糸を伸縮性のある素材で構成する。これにより該フック片の材質に関係なくフック列テープに長手方向の伸縮性を持たせることができ、伸縮性布ファスナーを実現することができる。
【産業上の利用可能性】
【００２０】  本考案による伸縮性布ファスナーを伸縮性のある布地を用いたスポーツウエアや衣料、バッグ等に適用することによりこれまで以上に快適性に富んだ衣料や使い便利の良いバッグ、運動用品などを作り出すことが可能となり産業の発展に寄与する。
【符号の説明】
【００２１】  １  伸縮性布テープ
２  フック片
３  フッキング糸
４  フック片切込み部
５  フッキング糸貫通部
７  フック列テープ
８  スライダー
９  架橋帯
【図１】
0003219363.tif 000003
【図２】
0003219363.tif 000004
【図３】
0003219363.tif 000005
【図４】
0003219363.tif 000006
【図５】
0003219363.tif 000007
【図６】
0003219363.tif 000008
【図７】
0003219363.tif 000009
【図８】
0003219363.tif 000010